(57)【要約】【課題】外部への紫外線の漏れを低減可能な紫外線照射装置を備えた洗濯機の提供。【解決手段】ドラム内の洗濯物を出し入れするために、洗濯機の前方に形成された開口部を開閉するための投入扉４１が設けられている。投入扉４１の前方のカバー材４２には内部板４８の周縁部が連結されており、カバー材４２と内部板４８との間に紫外線ランプ５７および反射部材５６が取り付けられている。紫外線透過率の小さい耐熱ガラスにより形成された内部板４８の中央部には真円状の開口部４８ａが形成され、この開口部４８ａには石英ガラス板４９が装着されている。これにより、石英ガラス板４９は紫外線ランプ５７と対向する位置に配置され、紫外線ランプ５７からの紫外線をドラム内の洗濯物に向けて透過させることができ、ドラムの表面において反射した紫外線は内部板４８により遮断され、洗濯機の外部への紫外線の漏れを防ぐことができる。【選択図】図４
2008125823.tif 000002
【特許請求の範囲】
【請求項１】
本体内に取り付けられ光沢性を有するドラムと、
前記ドラム内の洗濯物を出し入れするために前記本体に開閉可能に設けられた投入扉と、
光源と該光源からの発光を前記ドラムに向けて反射させる反射部材とを具備しており、前記投入扉の内部に設けられることにより前記ドラム内に紫外線を照射する紫外線照射装置とを備え、
前記投入扉は外側を覆うカバー材と、該カバー材に周縁部が連結され前記ドラム内の洗濯物の出入れ口と対向する内側部材とを有し、前記紫外線照射装置は前記カバー材と前記内側部材との間に配置され、前記内側部材の前記紫外線照射装置と対向する部位は石英ガラスによって形成され、その他の部位は該石英ガラスよりも紫外線透過性の小さい透光性ガラスにより形成されたことを特徴とする洗濯機。
【請求項２】
前記カバー材は合成樹脂材料にて形成されたことを特徴とする請求項１記載の洗濯機。
【発明の詳細な説明】
【技術分野】
【０００１】
本発明は、ドラム内の洗濯物に紫外線を照射可能な紫外線照射装置を備えた洗濯機に関する。
【背景技術】
【０００２】
ドラム内の洗濯物に紫外線を照射する紫外線照射装置を備えた洗濯乾燥機があった（例えば、特許文献１参照）。これは、洗濯乾燥機の本体に開閉可能に設けられた開閉扉内部に紫外線照射装置を取り付け、洗濯時の洗濯物に紫外線を照射している。これにより、洗濯中において、蒸気供給手段によりドラム内に供給された蒸気に紫外線が照射されて漂白作用が向上し、洗濯物のシミ等の頑固な汚れが除去される。更に、この従来技術においては、紫外線照射装置が設けられた扉のドラム側部材を石英ガラスにより形成し、照射装置からドラム内への紫外線の透過性を向上させている。
【０００３】
上述したように紫外線は洗濯物の汚れを除去するために非常に有用であるばかりでなく、洗濯物の乾燥にとっても利用価値が高いことは言うまでもない。特に、衣類乾燥機により十分乾燥させた後に紫外線を照射することで、乾燥後の衣類特有の蒸れた臭いの発生を防止して、衣類を日向に干したときのような心地よい香りを与えることができる。
【特許文献１】特開２００６−２６３２０２号公報（第９頁、第１図）
【発明の開示】
【発明が解決しようとする課題】
【０００４】
ところで、紫外線は上述した効用がある反面、その照射によって人体への影響があることを常に忘れてはならない。特に、紫外線に長時間さらされることによる皮膚あるいは眼に対する影響は深刻である。上記の洗濯乾燥機においても、開閉扉の外面は紫外線透過性の小さい材料にて形成されている、しかしながら上述したように、開閉扉のドラムと対向した内側面には紫外線の透過性の大きい石英ガラスが全体にわたって使用されている。したがって、ドラム内の洗濯物に向けて照射された紫外線がドラム内面により反射されて、開閉扉の外面に相当量放射されることになる。通常、ドラムは紫外線の反射を誘発するステンレス鋼のような、表面において著しい光沢性を有する材質により形成されており、開閉扉の外面が紫外線透過性の小さい材料により形成されていても、そこで外部への紫外線の漏れを完全に防ぐことはできず、ドラムから反射される紫外線に対する更なる方策が必要とされていた。
【０００５】
本発明は、上記事情に鑑みてなされたものであり、その目的は、外部への紫外線の漏れを低減可能な紫外線照射装置を備えた洗濯機を提供することにある。
【課題を解決するための手段】
【０００６】
本発明による洗濯機は、本体内に取り付けられ光沢性を有するドラムと、前記ドラム内の洗濯物を出し入れするために前記本体に開閉可能に設けられた投入扉と、光源と該光源からの発光を前記ドラムに向けて反射させる反射部材とを具備しており、前記投入扉の内部に設けられることにより前記ドラム内に紫外線を照射する紫外線照射装置とを備え、前記投入扉は外側を覆うカバー材と、該カバー材に周縁部が連結され前記ドラム内の洗濯物の出入れ口と対向する内側部材とを有し、前記紫外線照射装置は前記カバー材と前記内側部材との間に配置され、前記内側部材の前記紫外線照射装置と対向する部位は石英ガラスによって形成され、その他の部位は該石英ガラスよりも紫外線透過性の小さい透光性ガラスにより形成されたところに特徴を有している。
【発明の効果】
【０００７】
投入扉の内側部材の紫外線照射装置と対向する部位は石英ガラスによって形成され、その他の部位は石英ガラスよりも紫外線透過性の小さい透光性ガラスにより形成されたことにより、紫外線照射装置と対向する石英ガラスによってドラム内の洗濯物への紫外線の照射量を増大できるとともに、その他の部位の紫外線透過性の小さい透光性ガラスにより、ドラムに反射した紫外線が石英ガラス以外の内側部材から投入扉内に進入することを防ぎ、洗濯機の外部へ漏れることを低減することができる。
【発明を実施するための最良の形態】
【０００８】
図１乃至図５に基づいて、本発明の実施形態による乾燥機能付の洗濯機１について説明する。尚、図１において左方を洗濯機１の前方とする。図２において、洗濯機１の外箱２は本発明の本体に該当し、側板３、４、基台５、天板６、前カバー７および底部カバー８を備えて構成され、全体として略矩形箱状をなしている。
【０００９】
側板３、４は鉄板により形成され洗濯機１の左右の横側面を構成する。基台５は外箱２の下部に配置され洗濯機１全体を支える土台としての機能を有する。天板６は樹脂により形成され洗濯機１の上面を構成する。また、天板６には、化粧板９が埋め込まれていると共に、水道水給水口１０および風呂水給水口１１が設けられている。化粧板９は、例えば洗濯機１の上部に洗濯物や洗剤などを置いた場合に、洗濯機１に傷が付いてしまうことを防止するためのものである。水道水給水口１０および風呂水給水口１１は給水装置１９（図１示）を構成し、水道水および風呂水の給水口となるものである。
【００１０】
前カバー７の中央部には、円形の開口部７ａが設けられていると共に、後述するドラム１８内の洗濯物を出し入れするために、開口部７ａを開閉するための投入扉４１が図示しないヒンジ部に枢支された状態に設けられている。投入扉４１の内部には後述する紫外線ランプ５７および反射部材５６が収容されている。また、投入扉４１の側部に位置して投入扉４１を開くためのボタン１２が設けられている。前カバー７の上部には、操作パネル１３および洗濯用剤投入ケース１４が設けられている。操作パネル１３は、前カバー７の裏側に設けられた制御装置１５（図１示）に接続されている。また、操作パネル１３には、運転コースを選択したり運転を開始させるための各種のスイッチが設けられていて、ユーザは、この操作パネル１３を操作することにより、洗濯運転コース等の運転コースを選択して実行させることができる。
【００１１】
なお、上記した制御装置１５は、図示はしないが、マイクロコンピュータを中心としてＲＯＭ，ＲＡＭなどを備えて構成されていて、上記した運転コースの制御のほか、後述する循環ポンプ３０（図１示）の稼動制御や洗濯水の温度制御など、洗濯機１の動作全般を制御するものである。洗濯用剤投入ケース１４内部には複数の部屋（図示せず）が形成されていて、部屋ごとに洗剤，柔軟剤，漂白剤など各種の洗濯用剤を収容可能となっている。そして、各部屋に収容された洗濯用剤を洗濯運転中に自動的に投入できるようになっている。
【００１２】
底部カバー８は洗濯機１の下部に着脱可能に設けられていて、例えば洗濯機１の真下に排水管を設置する場合に、この底部カバー８を取り外すことにより洗濯機１の底部を容易に操作することができるようになっている。また、底部カバー８にはタンク部３３（図１示）を開閉するフィルタ蓋１６が設けられている。
【００１３】
次に、洗濯機１の内部構成について図１を参照して説明する。図１において、洗濯機１の内部には、水槽１７、ドラム１８、給水装置１９、フィルタケース２０、温風装置２１、熱交換器２２が備えられている。
【００１４】
水槽１７は、前方側が開口した円筒状をなしており、その開口した側を若干上方に向け投入扉４１に対向させた態様で、サスペンション２３により基台５に弾性支持されている。また、水槽１７の前方側には、水槽１７の開口径よりも若干径小となる開口部２４ａを有する水槽カバー２４が備えられていて、この開口部２４ａがベローズ２５を介して前カバー７の開口部７ａに連結されている。
【００１５】
ドラム１８は、前方側が開口した円筒状をなしており、その開口した側を若干上方に向け投入扉４１に対向させた態様で、水槽１７の内部に配置されている。ステンレス鋼製のドラム１８は表面に光沢性を有しており、その内周壁には多数の貫通した透孔１８ａが形成されている。また、ドラム１８の回動軸は水槽１７の背面側（図１では右側）に配置されたモータ２６の回動軸に連結されていて、このモータ２６が回転駆動されることにより水槽１７に対して回転可能となっている。
【００１６】
温風装置２１は、水槽１７の最上部から正面視右側に若干下がった位置に配置されている。この温風装置２１は、熱源としてのヒータ２７、送風ファン２８および循環風路２９から構成されていて、循環風路２９の吹出口２９ａは水槽１７の正面視右斜め上方から水槽１７内部に臨んでいる。そして、ヒータ２７で発生した熱が送風ファン２８で送風されることにより、水槽１７内には、吹出口２９ａから温風が供給されるようになっている。
【００１７】
熱交換器２２は、水槽１７の背面側（図１では右側）に配置されていて、上記した温風装置２１により水槽１７内に供給された温風が送り込まれるようになっている。熱交換器２２に送り込まれる温風中にはドラム１８内の洗濯物の水分が含まれることとなるが、熱交換器２２内では、この温風に対して図示しない散水管から散水可能となっていて、この散水により温風中の水分を冷却（凝縮）させ温風の除湿を行うことができるようになっている。
【００１８】
フィルタケース２０には図示しないリントフィルタが収容されるとともに、循環ポンプ３０が併設されている。図１に示すように、フィルタケース２０の流入口３１は第１の連結ホース３５を介して水槽１７の下部に設けられた排水口１７ａに連結され、一方、流出口３２は第２の連結ホース３６を介して水槽カバー２４の正面視左斜め上方に設けられた噴出口３７に連結されている。このような構成により、水槽１７の下部から上部近傍に亘って水槽１７の内部と連通する循環経路３８が設けられている。そして、循環経路３８の途中のフィルタケース２０内では、洗濯水が流入口３１からタンク部３３に流入され流出口３２から流出されるようになっている。なお、上記した第１の連結ホース３５および第２の連結ホース３６はゴムなどの弾性材からなっていて、その一部は蛇腹状に形成されている。そして、この蛇腹状に形成された部分により水槽１７から発生する振動や衝撃などが吸収されるようになっている。
【００１９】
また、フィルタケース２０の排水口３４には排水管（図示せず）を介して排水弁３９が接続されている。また、この排水弁３９には排水ホース４０を介して洗濯機１外部に設けられた下水口（図示せず）が連結されている。そして、排水弁３９は排水弁モータ（図示せず）が駆動されることにより開放または閉鎖されるようになっていて、排水弁３９が開放されると水槽１７内の洗濯水がフィルタケース２０（タンク部３３）を介して洗濯機１外部へ排水されるようになっている。
【００２０】
次に、図３乃至図５に基づいて、本発明の主要部である投入扉４１の構成について説明する。投入扉４１の前方に位置し洗濯機１の外側を覆うカバー材４２には、透光性を備えた耐熱ガラスにより形成された内部板４８（本発明の内側部材に該当する）がその周縁部において連結されている。カバー材４２は合成樹脂材料にて形成されたフレーム部４３と、フレーム部４３の内周側に嵌合固定された窓部４４とを備えており、窓部４４は透明な着色されたＡＳ樹脂（アクリルニトリルスチレン）により形成されている。更に、窓部４４上には非透明の合成樹脂材料にて形成された長物状の覆い板４５が取り付けられている。
【００２１】
図４に示すように、内部板４８は真円状の周縁部をリング状の座金板４６にて押え、座金板４６に挿通された複数の取付ボルト４７をフレーム部４３に締め付けることにより、カバー材４２に固定されている。内部板４８は投入扉４１を閉じた状態でドラム１８の前方開口部と対向するように、中央付近がドラム１８側へ向けて膨出しており、全体として碗状をしている。内部板４８の中央部には真円状の開口部４８ａが形成されており、開口部４８ａには内部板４８よりも紫外線透過率がはるかに大きい石英ガラス板４９が装着されている。
【００２２】
石英ガラス板４９は真円形をしており、押圧部材５０、保持枠５１および固定リング５２を用いて、内部板４８の開口部４８ａ内に装着されている（図５示）。押圧部材５０は略円筒形をしており、その外周面には螺子部５０ａが形成されている。保持枠５１は内周面に内周螺子５１ａを備えるとともに、外周面に外周螺子５１ｂを有した円筒形状部（符号なし）と、その端面に互いに面一に形成された内周側フランジ５１ｃおよび外周側フランジ５１ｄを具備している。押圧部材５０および保持枠５１は、アルミニウムあるいはステンレス鋼といった表面に金属光沢を十分に有した金属材料、もしくは、合成樹脂材料にクロムメッキ等を施して金属光沢を付与した材料にて形成されている。
【００２３】
石英ガラス板４９は、その周端部の表裏両面においてリング状のシール用第１パッキン５３および第２パッキン５４を介装した後、押圧部材５０の螺子部５０ａと保持枠５１の内周螺子５１ａとを互いに螺合させていくことにより、押圧部材５０の端面と保持枠５１の内周側フランジ５１ｃとで石英ガラス板４９を両面から液密的に挟持する。
【００２４】
固定リング５２の内周面にも締付螺子５２ａが形成されており、石英ガラス板４９と一体化された保持枠５１の外周側フランジ５１ｄを、第３パッキン５５を介して内部板４８の開口部４８ａに形成された切欠部４８ｂと係合させた後、投入扉４１の前方から固定リング５２の締付螺子５２ａを保持枠５１の外周螺子５１ｂに螺合させていく。固定リング５２の保持枠５１への締め付けにより、固定リング５２の端面と保持枠５１の外周側フランジ５１ｄとにより内部板４８を液密的に挟み込み、結果的に石英ガラス板４９は内部板４８の開口部４８ａに装着される。図５に示すように、内部板４８と石英ガラス板４９とのドラム１８側（図４において右側）の合わせ面は、保持枠５１の外周側フランジ５１ｄが内部板４８の切欠部４８ｂ内に収まることにより、面一になるように形成される。
【００２５】
反射部材５６は湾曲した略皿状の反射部５６ａと、反射部５６ａの反射面５６ｂとは反対側に形成された光源収容部５６ｃとを有している。反射部材５６の少なくとも反射部５６ａは、保持枠５１等と同様にアルミニウムあるいはステンレス鋼、あるいは合成樹脂材料にクロムメッキ等を施した材料にて、表面に金属光沢を十分に有するように形成されている。光源収容部５６ｃは後述する紫外線ランプ５７（本発明の光源に該当）が収納可能なように円筒形に形成され、挿入された紫外線ランプ５７が反射面５６ｂ上に露出するように反射部５６ａを貫通している。紫外線ランプ５７は反射部材５６とともに本発明の紫外線照射装置に該当し、２６０ｎｍ付近の波長ピークを有する殺菌ランプや３５０ｎｍ付近に波長ピークを有するブラックライトや補虫器用蛍光ランプが使用可能である。
【００２６】
反射部材５６の前面（反射面５６ｂに対する反対側）に突出した取付基部５６ｄには、複数の連結ボルト５９により反射部材固定具５８の後端が取り付けられている（図４示）。一方、反射部材固定具５８の前端は、図示しない取付螺子によりカバー材４２の窓部４４の後面に形成されたボス（図示せず）に固定されており、これにより紫外線ランプ５７は反射部材５６とともにカバー材４２と内部板４８（石英ガラス板４９）との間に配置されている。また、図４に示すように、紫外線ランプ５７および反射部材５６は、ドラム１８内に十分に紫外線を照射可能なように、石英ガラス板４９と対向している。投入扉４１が閉じられた時、紫外線ランプ５７からの紫外線を含んだ発光は石英ガラス板４９を透過してドラム１８内の洗濯物に照射される。
【００２７】
反射部材固定具５８は合成樹脂材料にて形成されており、端部には後方フランジ５８ａおよび前方フランジ５８ｂがそれぞれ設けられている。反射部材固定具５８は後方フランジ５８ａと前方フランジ５８ｂにおいて、反射部材５６およびカバー材４２に取り付けられており、前方フランジ５８ｂは覆い板４５の後方に位置することにより、投入扉４１の前方にいる人から、その取付状態が見えないようになっている。両フランジ５８ａ、５８ｂは連結部５８ｃにより接続されており、連結部５８ｃ内には貫通路５８ｄが形成されており、この中を後述する光源用ハーネス６０が通っている。
【００２８】
インバータ回路装置６１は電源（図示せず）と紫外線ランプ５７との間に設けられ、基板上に複数の回路素子を備え、紫外線ランプ５７を発光させるために電源用電圧を昇圧させるためのもので、反射部材固定具５８の連結部５８ｃの下面に取り付けられている（図４示）。インバータ回路装置６１から引き出された低圧側の光源用ハーネス６０は、反射部材固定具５８の貫通路５８ｄ内を通過した後、覆い板４５の後方に位置するようにカバー材４２上をその周縁部に向けて延び、投入扉４１のヒンジ部を介して扉４１の外へと取り回される（図２示）。また、ともに合成樹脂材料により形成されたアッパメンバ６２Ａおよびロアメンバ６２Ｂは、反射部材固定具５８を挟持した状態で上方から貫通させた複数の締結螺子６３を下方にあるナット部材６４に螺合させることにより、反射部材５６および反射部材固定具５８を覆い隠す箱体として機能する。
【００２９】
次に、本実施形態による洗濯機１の作動方法について説明する。
なお、説明に際しては、標準的な運転コースが選択されて洗濯工程、すすぎ工程、脱水工程および乾燥工程が順に実行される場合を想定して具体的に説明する。また、排水弁３９が閉鎖された状態で実行される洗濯工程およびすすぎ工程での作用説明は一括して行い、続いて、排水弁３９が開放された状態で実行される脱水工程および乾燥工程での作用説明を行う。
【００３０】
洗濯工程（すすぎ工程）では、制御装置１５は排水弁３９を閉鎖させた状態で給水装置１９を介して水道水を水槽１７に給水する。そして、制御装置１５は、水位センサ（図示せず）を介して水槽１７内の洗濯水の水位が所定の設定水位に達したことを検知すると、ドラム１８を回転させてドラム１８内の洗濯物の洗濯（すすぎ）を実行すると共に、循環ポンプ３０を稼動させて水槽１７内の洗濯水を循環経路３８を通して循環させる。また、上記した洗濯工程（すすぎ工程）では、水道水を給水して洗濯を行う場合を説明したが、本実施形態の制御装置１５は、風呂水ポンプ（図示せず）を稼動させることにより風呂水給水口１１を介して風呂水を水槽１７に給水することも可能である。
【００３１】
制御装置１５は洗濯工程およびすすぎ工程を終了すると脱水工程を実行する。脱水工程では、制御装置１５は排水弁３９を開放させることにより水槽１７内の洗濯水を排水する。そして、排水弁３９を開放したままドラム１８を高速で回転させて洗濯物の脱水を行う。
【００３２】
制御装置１５は脱水工程を終了すると乾燥工程を実行する。乾燥工程では、制御装置１５はドラム１８を低速で回転させると共に、温風装置２１を稼動させて吹出口２９ａから温風を水槽１７内に供給してドラム１８内の洗濯物の乾燥を行う。このとき、温風装置２１のヒータ２７から発生する熱は、洗濯機１内部を徐々に伝達して洗濯機１の各構成要素に及ぶこととなる。
【００３３】
制御装置１５は上述した乾燥工程中において、インバータ回路装置６１から電力を供給して、紫外線ランプ５７から紫外線を含んだ発光を直接に、あるいは反射部材５６の反射面５６ｂにおいて反射させた後、石英ガラス板４９を透過させてドラム１８内の洗濯物に向けて照射させる。これにより、乾燥後の洗濯物の蒸れた臭いを防止して日向干しした時のような心地よい香りを与えることができる。
【００３４】
本実施形態によれば、投入扉４１の内部板４８の紫外線ランプ５７および反射部材５６と対向する部位は石英ガラス板４９によって形成され、その他の部位は石英ガラス板４９よりも紫外線透過性の小さい透光性を有する耐熱ガラスにより形成されたことにより、紫外線ランプ５７および反射部材５６と対向する石英ガラス板４９によって、ドラム１８内の洗濯物への紫外線の照射量を増大できるとともに、その他の部位の紫外線透過性の小さい耐熱ガラスにより、ドラム１８に反射した紫外線が石英ガラス板４９の周囲から投入扉４１内に進入することを防ぎ、洗濯機１の外部へ漏れることを低減することができる
また、高価な石英ガラス板４９は紫外線ランプ５７等と対向する部位のみに使用するため、低コストの洗濯機１にすることができる。
【００３５】
また、投入扉４１の外側を覆うカバー材４２の窓部４４はＡＳ樹脂により形成されているため、ドラム１８から反射した紫外線が扉４１の外部に漏れることを、よりいっそう防ぐことができる。
また、石英ガラス板４９を保持する押圧部材５０および保持枠５１を、表面に金属光沢性を有する材料にて形成したことにより、紫外線ランプ５７からの発光が反射部材５６のみでなく、押圧部材５０および保持枠５１上においても反射され、ドラム１８に向けて効率よく照射される。
【００３６】
また、インバータ回路装置６１を投入扉４１内に設けられた反射部材固定具５７に取り付けたことにより、光源用ハーネス６０のうち低圧側が投入扉４１のヒンジ部を通過するため、扉４１の開閉によりハーネス６０が万が一ダメージを受けても安全である。
また、内部板４８と石英ガラス板４９とのドラム１８側の合わせ面は、保持枠５１の外周側フランジ部５１ｄが内部板４８の切欠部４８ｂ内に収まることにより、面一になるように形成されているため、洗濯機１の作動中にドラム１８内の洗濯物のあたりや引っかかりをなくすことができ、洗濯物へのダメージを低減することができる。
【００３７】
また、インバータ回路装置６１から引き出された光源用ハーネス６０は、覆い板４５の後方を投入扉４１のヒンジ部に向けてのびているため、投入扉４１の前方からハーネス６０が見えることがなく、投入扉４１の見栄えを向上させることができる。
【００３８】
＜その他の実施形態＞
本発明は、上述した実施形態に限定されるものではなく、次のように変形または拡張することができる。
洗濯物への紫外線の照射は洗濯機の乾燥工程中のみでなく、洗濯工程、すすぎ工程、乾燥後のクールダウン工程に行ってもよい。
本発明は乾燥機能を有しない洗濯機にも適用可能である。
【００３９】
投入扉に取り付けられる石英ガラス板の形状は、必ずしも真円形状でなくともよく、光源の形状に応じて任意の形状にすることができる。
投入扉のカバー材に形成された窓部は紫外線透過率の低い樹脂材料であれば、あらゆる材質のものが適用可能である。
【図面の簡単な説明】
【００４０】
【図１】本発明の実施形態による洗濯機の縦断面図
【図２】図１に示した洗濯機の外観を示す斜視図
【図３】図１に示した洗濯機の投入扉の分解斜視図
【図４】図３に示した投入扉の縦断面図
【図５】図４の要部拡大図
【符号の説明】
【００４１】
図面中、１は洗濯機、２は外箱、１８はドラム、４１は投入扉、４２はカバー材、４８は内部板（内側部材）、４９は石英ガラス板（石英ガラス）、５６は反射部材、５７は紫外線ランプ（光源）を示している。
【図１】
2008125823.tif 000003
【図２】
2008125823.tif 000004
【図３】
2008125823.tif 000005
【図４】
2008125823.tif 000006
【図５】
2008125823.tif 000007